(57)【要約】      （修正有）【課題】ライトアップ効果及び香り交換できる芳香装置を提供する。【解決手段】主体１０、複数の加熱台２０、複数の受け皿３０及び複数の芳香容器６０、台座、コントロールボード５０で構成するライトアップ効果及び香り交換できる芳香装置において、該受け皿３０は加熱台２０の底部に対応して位置し、中に発光部品７０を設置する。各芳香容器６０は透光性を具有する管状のものであり、異なる芳香物を中に入れてから、主体１０と加熱台２０を通して受け皿３０の上に設置する。各芳香容器６０の底部は加熱台２０と隣接することで、コントロールボード５０は順に或いは同時に異なる加熱台２０に電気を流して熱を発する。異なる香りと色の芳香物Ａ，Ｂを異なる芳香容器６０の中に入れ、異なる加熱台２０が時間を開けてそれぞれの芳香容器６０を加熱、或いは同時に加熱して香りを放つ。また、発光部品７０のライトが該芳香容器６０及び芳香物を透過するため、異なる時刻に多種の異なる香りを交換することができ、同時に温暖で絢爛な光の効果を作り出す。【選択図】図４
0003151287.tif 000002
【実用新案登録請求の範囲】
【請求項１】
主体、加熱台、受け皿、台座、コントロールボード、芳香容器を含み、
主体は中空状であり、頂壁、周囲壁、底壁、収納室、複数の穴及び電源孔を含み、各穴は頂壁に設置し、底壁の中央に開放孔を具有し、該電源孔は周囲壁の片側に設置し、
複数の加熱台はそれぞれ前記の穴と対応して主体の収納室の中に設置し、加熱台は円柱体の形状をなし、中央に貫通孔を具有し、
複数の受け皿はそれぞれ対応して加熱台の底部に位置し、上端に皿を具有し、下端は少なくとも一つのライト柱及び少なくとも一つの脚部と接続し、該皿は丸く窪んだ形を呈し、
台座は主体の底部と結合し、
コントロールボードは本考案の電源回路と接続して電気コントロールをし、順に各加熱台に電気を流して熱を発し、また、コントロールボードは主体の電源孔に対応して電源コンセントを具有し、前記の受け皿の脚部と結合し、
複数の芳香容器は透光性のある管状を呈し、それぞれ主体の穴より挿入し、前記加熱台の貫通孔を通してから受け皿の上に設置し、該芳香容器の底部は加熱台の貫通孔の周囲と隣接し、
芳香物を複数の芳香容器の中に入れ、コントロールボードの各種操作パターンを設定し、複数の加熱台が一定時間を置いて、それぞれ或いは同時に芳香容器を加熱し、異なる時刻に多種の異なる香りを放出することを特徴とするライトアップ効果及び香り交換できる芳香装置。
【請求項２】
複数の発光部品を含み、それぞれを受け皿のライト柱の中に設置し、電気を流すと、発する光は透光性のある芳香容器に向かって照射することを特徴とする請求項１記載のライトアップ効果及び香り交換できる芳香装置。
【請求項３】
前記芳香容器は二管、穴は二つ、加熱台が二つ、受け皿が二つ、及び二つの発光部品を受け皿のライト柱に設置することを特徴とする請求項１記載のライトアップ効果及び香り交換できる芳香装置。
【請求項４】
前記複数の芳香容器に異なる香りの複数の芳香物を注入し、該芳香容器は更に円柱体の栓を含み、該栓の下端表面にネジ模様を具有し、芳香容器の開口に設置することを特徴とする請求項１記載のライトアップ効果及び香り交換できる芳香装置。
【請求項５】
前記加熱台は雲母、サーミスター(PTC)、セメント抵抗器の如何なる一つとすることを特徴とする請求項１記載のライトアップ効果及び香り交換できる芳香装置。
【請求項６】
前記装置は更に複数のクリップを含み、主体の底壁は複数の接続台を具有し、該台座は複数の開放固定孔を具有し、各クリップをそれぞれ前述の接続台に嵌合し、該台座を主体の開放孔に蓋合する際、各開放固定孔はそれぞれ前記クリップと対応して固定することを特徴とする請求項１記載のライトアップ効果及び香り交換できる芳香装置。
【請求項７】
前記芳香容器は三管、穴は三つ、加熱台三つ、受け皿が三つ、及び三つの発光部品を受け皿のライト柱に設置することを特徴とする請求項１記載のライトアップ効果及び香り交換できる芳香装置。
【請求項８】
主体は透光性、或いは半透光性のガラスやアクリル、セラミックガラス、水晶、穴の開いた金属などを使用することができる。前述の発光部品が主体内部を照射し、主体は外部に温かく柔らかい光を放ち、
前記コントロールボードは更に少なくとも一つの発光部品を具有し、該主体は透光性或いは半透光性の材質をセレクトし、該発光部品は主体内部に向かって照射することを特徴とする請求項１記載のライトアップ効果及び香り交換できる芳香装置。
【請求項９】
主体、加熱台、受け皿、台座、芳香容器を含み、
主体は中空状であり、頂壁、周囲壁、底壁、収納室、穴及び電源孔を含み、各穴は頂壁に設置し、底壁の中央に開放孔を具有し、該電源孔は周囲壁の片側に設置し、
少なくとも一つの加熱台はそれぞれ前記の穴と対応して主体の収納室の中に設置し、加熱台は円柱体の形状をなし、中央に貫通孔を具有し、
少なくとも一つの受け皿はそれぞれ対応して加熱台の底部に位置し、上端に皿を具有し、下端は少なくとも一つのライト柱及び少なくとも一つの脚部と接続し、該皿は丸く窪んだ形を呈し、
台座は主体の底部と結合し、
少なくとも一つの芳香容器は透光性のある管状を呈し、それぞれ主体の穴より挿入し、前記加熱台の貫通孔を通してから受け皿の上に設置し、該芳香容器の底部は加熱台の貫通孔の周囲と隣接し、
芳香物を該芳香容器の中に入れ、電源を該加熱台と接続し、芳香容器を加熱することで香りを放出することを特徴とするライトアップ効果及び香り交換できる芳香装置。
【請求項１０】
少なくとも一つの発光部品を含み、それを受け皿のライト柱の中に設置し、電気を流すと、発する光は透光性のある芳香容器に向かって照射することを特徴とする請求項９記載のライトアップ効果及び香り交換できる芳香装置。
【請求項１１】
更にコントロールボードを具有し、本考案の電源回路と接続して電気コントロールをし、及び各加熱台に電気を流して熱を発する時間をコントロールし、また、コントロールボードは、前記の受け皿の脚部と結合し、及び、
前記コントロールボードは更に少なくとも一つの発光部品を具有し、該主体は透光性或いは半透光性の材質をセレクトし、該発光部品は主体内部に向かって照射することを特徴とする請求項９記載のライトアップ効果及び香り交換できる芳香装置。
【請求項１２】
前記複数の芳香容器に芳香物を注入し、該芳香容器は円柱体の栓を含み、該栓の下端表面にネジ模様を具有し、芳香容器の開口に設置することを特徴とする請求項９記載のライトアップ効果及び香り交換できる芳香装置。
【請求項１３】
前記加熱台は雲母、サーミスター(PTC)、セメント抵抗器の如何なる一つとすることを特徴とする請求項９記載のライトアップ効果及び香り交換できる芳香装置。
【請求項１４】
前記台座は複数の固定柱を具有し、各加熱台に複数の固定部を具有し、各固定部はそれぞれ対応して各固定柱に固定することを特徴とする請求項９記載のライトアップ効果及び香り交換できる芳香装置。
【考案の詳細な説明】
【技術分野】
【０００１】
本考案はライトアップ効果及び香り交換できる芳香装置の構造に関する。
【背景技術】
【０００２】
従来技術の芳香器はアロマポットの中に多くの木の棒を設置し、アロマオイルをポットの中に垂らす。多孔質の木の棒がアロマオイルを吸収し、その香りを空気中に揮発することで、香りが広がる。しかし、自然に任せてオイルの香りを空気中に揮発するのでは、香りが放出するスピードが遅い上、ビジュアル効果がなく、また香りを変える或いは混合することができない。
【０００３】
従来技術のファン式の芳香器の多くは、コンセントに差し込むタイプであり、ファンを使って香りを室内に広げる。香りの放出スピードは前述のアロマポットより速いが、ファンの雑音が生じる、電源が必要となる、ビジュアル的に暖かく愉快な効果がない、香りを変えるまたは混合することができない、といった問題がある。
【０００４】
従来技術のキャンドルタイプのアロマポットは、ポットの下方にキャンドルを入れて加熱し、上部の器に適量のオイルを垂らす。キャンドルを使った加熱方法は危険性が高いほか、開放式の受け皿に入れた液体は外力の影響を受けてこぼれ易いので、使用時の危険度が高まる。
【０００５】
電球の熱を利用して香りを放出するアロマライトは、同様に、放出スピードが遅く、ビジュアル的に暖かく且つ愉快になる効果がなく、香りを変える或いは混合することができないといった問題がある。
【０００６】
また、前述の芳香器、ファン式のアロマポット及びキャンドル式のアロマポットにアロマライトの加熱方法は、香りのみ匂うことはできるが、存在感がないため、改善する必要があった。
【先行技術文献】
【特許文献】
【０００７】
【特許文献１】特開２００８−２６４４３４号公報
【考案の概要】
【考案が解決しようとする課題】
【０００８】
前記従来技術の欠点を解決するため、本考案は芳香装置をそれぞれ独立した筒状の芳香容器を設置し、異なる香りのアロマオイルを筒状の芳香容器の中に入れる。順を追って或いは同時に異なる香りを放出することができる。また、芳香容器は安定して設置することができ、入れ替えもしやすい。アロマオイルなどが倒れてこぼれることがなく、更に安全性を兼ね備えたライトアップ効果及び香り交換できる芳香装置を提供することを主な課題とする。
【課題を解決するための手段】
【０００９】
上述の目的を解決するために、本考案はライトアップ効果及び香り交換できる芳香装置を提供するものである。芳香装置に含まれるのは主体、複数の加熱台、複数の受け皿、台座、コントロールボード及び複数の芳香容器である。該主体は中空体であり、各受け皿の中に発光部品を設置する。該コントロールボードは本考案の電源回路と電気接続し、中でも順に各加熱台20に電気を供給して熱を発する。芳香容器60は透光性或いは透視性を具有する管状の容器であり、各芳香容器60はそれぞれ主体10の穴15から挿入し、加熱台20の貫通孔21を貫通し、受け皿30の上に設置する。該芳香容器60の底部は加熱台20の貫通孔21の周囲と隣接する。異なる芳香物A、Bを該複数の芳香容器60に入れ、複数の加熱台20が一定の間隔を置いて、それぞれ当該芳香容器60を加熱し、異なる時刻に異なる香りを放つ。従来技術のアロマポットと異なり、まるでコピー機のように、異なる様々な色が入れ替わる。
【００１０】
長時間同じ香りを使用すると、嗅覚が鈍くなることを鑑みて、本考案の芳香装置は多種の香りを交換或いは混合することができるため、ユーザーはそれにより気分転換する或いは激発される。
【００１１】
本考案のコントロールボードは同時に複数の加熱台を加熱し、同時に複数の芳香容器にある芳香物を加熱することができる。同一時間に異なる香りを混合することは、まるでカクテル或いは香水を混合するかのように、個人の好む匂いを作り出し、鈍くなった嗅覚を呼び覚ます。
【００１２】
本考案のライトアップ効果及び香り交換できる芳香装置は、複数の発光部品を含み、各発光部品はそれぞれ受け皿或いはコントロールボードに設置し、電気を流し、光線を透光性のある芳香容器に向けて照射する。発光部品がカラフルな芳香物或いは色づきのLEDの光線投射で芳香容器に放つライトの絢爛な効果により、更に温かみのあるロマンティックな雰囲気とビジュアル効果をもたらす。
【００１３】
前記の管状の芳香容器は透視性と透光性のあるガラスやアクリル、セラミックガラス、水晶のほか、透視性がなく、非透光性の金属とすることができる。
【００１４】
該芳香物はアロマオイル、アロマキャンドル、フラワーエッセンス、香料などとすることが好ましい。
【００１５】
該芳香物はカラフルなものとすることが好ましい。
【００１６】
加熱台を雲母、サーミスター(PTC)、セメント抵抗器の如何なる一つとすることが好ましい。
【００１７】
また、管状の芳香容器は任意に交換することができるほか、製造も大変便利である。消費者は管状の芳香容器(中に芳香物を含む)を購入するだけで、気ままにお好みに合わせて、本考案を使用し、カラフルで異なる香りを楽しむことができるため、購買意欲が高まる。
【００１８】
従来技術の各種類のアロマポットの香りは放出するのが遅く、単一の香りのみしか楽しめず、ビジュアル効果や温かみのある愉快な雰囲気がなく、香りを自在に交換或いは混合することができず、使用上危険且つ不便であり、香りの色合いも楽しむことができない。それに比べ、本考案のライトアップ効果及び香り交換できる芳香装置は異なる香りを交換及び混同することで、鈍くなった嗅覚を呼び覚ますだけでなく、ユーザーも気分転換をし、激発することができる。更に発光部品により、ビジュアル的に目も心も楽しませてくれる。また、管状の芳香容器は主体の穴に挿入して設置し、加熱台と受け皿でしっかり支えているため、使用時安全である上、液体の芳香物がこぼれることがない。
【００１９】
本考案のライトアップ効果及び香り交換できる芳香装置は主体と少なくとも一つの加熱台、少なくとも一つの受け皿、台座、コントロールボード及び少なくとも一つの芳香容器を含む。本実施例は主に管状の芳香容器を具有し、受け皿の中に発光部品を設ける。該芳香容器はライト投射効果を具有するため、暗闇時或いは普段使用する際、芳香物の清々しい匂いを楽しめるほか、ビジュアル的にも香りの存在を感じることができる。芳香容器の設置についても、前述のように、安全且つ安定して設置することができる。最良実施例として、ユーザーは本考案の管状の芳香容器の、異なる多種の香りを購入し、使用時は随時に素早く芳香容器を交換することができ、空気中に放たれる香りを変えることで、異なる匂いを堪能するほか、環境の雰囲気と気持ちを変えることができる。
【考案の効果】
【００２０】
本考案は主体10と加熱台20、受け皿30及び透光性のある管状の芳香容器60、台座40、コントロールボード50の設置により、芳香容器を安定して設置するほか、任意に素早く香りを交換する、或いは同時に数種類の香りを同時に楽しむことができる。また、発光部品により、芳香物の絢爛でカラフルな色彩を映し出すなど、嗅覚だけでなく、ビジュアル的にも楽しめる芳香装置である。
【図面の簡単な説明】
【００２１】
【図１】本考案における第一実施例の外観立体図である。
【図２】本考案における第一実施例の分解立体図である。
【図３】本考案の第一実施例の別の分解立体図である。
【図４】本考案の第一実施例の組合せ断面図である。
【図５】本考案の第二実施例の外観立体図である。
【図６】本考案の第二実施例の分解立体図である。
【図７】本考案の第三実施例の外観立体図である。
【図８】本考案の第三実施例の組合せ断面図である。
【図９】本考案の第四実施例の外観立体図である。
【図１０】本考案の第四実施例の分解立体図である。
【図１１】本考案の第四実施例の別の分解立体図である。
【図１２】本考案の第四実施例の組合せ断面図である。
【考案を実施するための形態】
【００２２】
図１、図２及び図３に示すのは、本考案の第一実施例であり、主体10、二つの加熱台20、二つの受け皿30、台座40、コントロールボード50、二つの芳香容器60、複数の発光部品70及び複数のクリップ80を含む。
【００２３】
該主体10は中空体であり、頂壁11、周囲壁12、底壁13、収納室14、少なくとも二つの穴15、電源孔16、複数の接続台17を含む。各穴15は頂壁11に設置し、該底壁13の中央に開放孔131を設け、該電源孔16は周囲壁12の片側に設ける。
【００２４】
各加熱台20は主体10の収納室14に設置し、それぞれ前述の穴15に対応する。各加熱台20は円柱体であり、中央に貫通穴21を具有し、両側に固定部22を設ける。本実施例では、隣り合う二つの加熱台20は異なる高さの固定部22で一体に接続するため、空間を節約できる。
【００２５】
各受け皿30はそれぞれ加熱台20の底部と対応して設置する。受け皿30は皿32、下端にライト柱31及び二つの脚部33を接続する。該皿32は丸く窪んだ形であり、該脚部33は左右対称にライト柱31の両側に位置する。脚部33は更に定置孔34を含み、該定置孔34はそれぞれ脚部33の中心に設置する。
【００２６】
該台座40は主体10の底部に結合し、前述の底壁13の開放孔131を封鎖する。台座40は複数の開放固定孔41、複数の固定柱、複数の固定孔43及び基台44を具有する。該固定柱42はそれぞれ加熱台20の固定孔22と対応することで、加熱台20がしっかりと固定する。
【００２７】
コントロールボード50は本考案の電源回路と電気接続し、中でも順に或いは同時に各加熱台20に電気を供給して熱を発する。該コントロールボード50は電源コンセント51及び数個の固定接続孔52を具有する。電源コンセント51は台座41の基台44に設置し、前述主体10の電気孔16と対応することで、外部の電源コード(図示せず)に電力を供給する。コントロールボード50はそれぞれ受け皿30の定置孔34と台座40の固定孔43と対応することで、固定部品(図示せず)を使って固定する。
【００２８】
芳香容器60は透光性を具有する管状を呈し、芳香容器60はそれぞれ主体10の穴15より挿入、順に加熱台20の貫通孔21を貫通し、受け皿30の上に設置する。芳香容器60の底部は加熱台20の貫通孔21の周囲と隣接する。
【００２９】
複数の発光部品70はそれぞれ該受け皿30のライト柱31の中に設置する。電気を流すことで、光線が透光性のある芳香容器60に照射するため、カラフルな芳香物A、Bが暗闇時に、多彩で絢爛にライトアップし、ロマンティックで温かく愉快な雰囲気を作り出す。前述の電路板50が一つ、或いは二つの加熱台20と電気接続し、対応する芳香容器60を加熱すると、対応する発光部品70がライトアップする。電源をオフした場合は、ライトが消滅する。本考案のライトアップは付属文書１のカラー写真に示される。
【００３０】
各クリップ80はそれぞれ接続台17に嵌合する。該台座40を主体10の電源孔16まで蓋合するとき、該台座40の各開放固定孔41はそれぞれクリップ80と対応するため、固定接続部品(図示せず)が固定しやすくなる。
【００３１】
図４に示すように、本考案のライトアップ効果及び香り交換できる芳香装置は、管状の芳香容器60を主体10の穴15に挿入することで、加熱台20と受け皿30でしっかり支える。安定して主体10の上に位置するだけでなく、使用上の安全性を高めることができ、液体芳香物A、Bが漏れる問題を解決する。また、芳香容器60は加熱台20の貫通孔21周囲に隣接する。芳香物A、Bを少なくとも二つの芳香容器60に入れ、およびコントロールボードの各種操作パターンを設定することで、二つの加熱台20が一定の間隔を置いて、それぞれ当該芳香容器60を加熱し、異なる時刻にA及びBの異なる香り、或いは二つの加熱台20が同時に二つの芳香容器を加熱し、カクテルのように、同時にAとBの混合した特殊な香りを放出する。このほか、発光部品70により、二つの芳香容器60及び含まれるカラフルな芳香物A、Bに光を照射して絢爛な煌きを出すことで、より温かみのあるロマンティックな雰囲気をかもし出すことができる。また、各芳香容器60は栓63を具有し、該栓63は円柱体の形であり、下方表面に複数のネジ模様631を具有する。該栓63により、芳香容器60の開口61を密閉するため、使用しない場合、芳香物A、Bの香りが揮発するのを防止する。
【００３２】
従来技術のキャンドルタイプのアロマポットの開放タイプの浅い器に入った液体が外力で容易に外にこぼれて危険であったが、本考案の管状の芳香容器60は完全にその欠点を解決し、安全に香りを放出する。DC/ACの電力で加熱し、電圧が安定する。また、一つの管状の芳香容器60は一定時間加熱すると、続けて別の管状の芳香容器60に加熱を行う。最良実施例では、芳香物の容量を計算し、コントロールボード50の時間を設定することで、芳香物A、Bが無くなるまで加熱し、無くなると直ちに電気を遮断するため安全である。
【００３３】
図５及び図６に示すのは、本考案の第二実施例である。三つの管を具有する芳香容器60を掲示し、芳香物A、B、Cとは三種類の香りのアロマオイルである。少なくとも三種類のアロマオイルA、B、Cを順次に楽しむ、或いは同時に二種類或いは三種類の香りを混合することができる。また、三つの管の芳香容器60は発光部品70の照射を受け、同時に多種の色をライトアップするため、更に絢爛なる効果が生まれる。当該実施方法の使用機能は前述の第一実施例と同じであるため、再度言及しない。付属文書２は、三つの異なる香りと色の芳香装置を示す。
【００３４】
図７及び図８に示すのは、本考案の第三実施例である。主体10及び加熱台20、受け皿30、台座40、コントロールボード50、芳香容器60、複数の発光部品70及び複数のクリップ80を含む。
【００３５】
第三実施例は付属文書３のように、管状の芳香容器60を具有する。図中の芳香物Aはカラフルなアロマオイルである。加熱をコントロールし、通電後一定時間で通電を遮断する。最良実施例では、芳香物の容量を計算し、コントロールボード50で時間を設定し、芳香物を無くなるまで加熱したら直ちに電気を遮断するため安全である。ライトの投射効果は前述の実施例と同じであるため、ここで再度言及しない。
【００３６】
第三実施例のライトアップ効果及び香り交換できる芳香装置はライト投射効果を具有するため、夜分或いは普段、アロマオイルの清々しい香りを楽しむほか、直接アロマオイルの色をも観賞できるため、ビジュアル的にも芳香の存在を感じることができ、心身ともに愉快で温かみを感じる。芳香容器60による定置付けにより、各実施例と同様に安定して液体が外部に漏れない効果を持つ。
【００３７】
図９、図１０、図１１及び図１２が示すのは、第四実施例のライトアップ効果及び香り交換できる芳香装置である。管状の芳香容器60はコップ状の形態を使用することもできる。当該実施方法は、比較的大きなサイズの加熱台20及び受け皿30が必要である。本実施例では四つの発光部品をライト柱31に設置し、及び一つの発光部品71をコントロールボードに設置する。図示しているのは、比較的大きな直径と容量の芳香容器60である。同時に多くの香りとより絢爛な色彩を放つことができる(付属文書４を参照)。広い空間や公共の場、戸外の開放された空間に適している。当該実施方法は上述の各例と相同であるため、ここで再度言及しない。
【００３８】
最良実施例(付属文書５を参照)として、ユーザーは異なる香りの本考案の管状芳香容器60を購入し、使用時は随意に迅速に芳香容器を交換できるため、空気中の香りを変えて、異なる匂いを楽しみ、気分転換することができる。特に説明したいのは、本考案の芳香容器は前述の構造と相同し、異なる匂いの管状芳香容器を素早く別の匂いの芳香容器60に変えることができる。
【００３９】
前述各実施例の電路板40は更に少なくとも一つの発光部品71と結合し、主体10内部に向けて照射する。主体10は透光性、或いは半透光性のガラスやアクリル、セラミックガラス、水晶、穴の開いた金属などを使用することができる。前述の発光部品71が主体10内部を照射し、主体10は外部に温かく柔らかい光を放つ。
【００４０】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００４１】
10  主体
11  頂壁
12  周囲壁
13  底壁
131  開放孔
14  収納室
15  穴
16  電源孔
17  接続台
20  加熱台
21  貫通孔
22  固定部
30  受け皿
31  ライト柱
32  皿
33  脚部
34  定置孔
40  台座
41  開放固定孔
42  固定柱
43  固定孔
44  基台
50  コントロールボード
51  電源コンセント
52  固定接続孔
60  開口
63  栓
631  ネジ模様
70  発光部品
71  発光部品
80  クリップ
A  芳香物
B  芳香物  
【図１】
0003151287.tif 000003
【図２】
0003151287.tif 000004
【図３】
0003151287.tif 000005
【図４】
0003151287.tif 000006
【図５】
0003151287.tif 000007
【図６】
0003151287.tif 000008
【図７】
0003151287.tif 000009
【図８】
0003151287.tif 000010
【図９】
0003151287.tif 000011
【図１０】
0003151287.tif 000012
【図１１】
0003151287.tif 000013
【図１２】
0003151287.tif 000014